(57)【要約】【課題】本発明は、電子ホワイトボード、電子ホワイトボードシステム及びその操作制御方法を提供する。【解決手段】電子ホワイトボードは複数のカラー選択領域及び軌跡入力領域を含む。複数のカラー選択領域はそれぞれ複数の軌跡カラーに対応し、各カラー選択領域は第一タッチ操作を受信し、そして第一タッチ操作に基づいてカラー設定信号を生成する。軌跡入力領域は第二タッチ操作を受信し、そして第二タッチ操作に基づいてタッチポイント信号を生成する。タッチポイント信号はライティング軌跡を形成し、カラー設定信号はライティング軌跡のカラーを設定するために用いられる。電子装置はライティング軌跡に基づいて出力ファイルを生成し、カラー設定信号に基づいて出力ファイルのファイル内容を所定カラーで表示パネルに表示させる。【選択図】図１
2019207681.tif 000002
【特許請求の範囲】
【請求項１】
電子ホワイトボードであって、
表示パネルを有する電子装置が接続され、
前記電子ホワイトボードは、複数のカラー選択領域及び軌跡入力領域を含み、
前記複数のカラー選択領域は、それぞれ、複数の軌跡カラーに対応し、前記複数のカラー選択領域の各々は、第一タッチ操作を受信し、前記第一タッチ操作に基づいてカラー設定信号を生成し、
前記軌跡入力領域は、第二タッチ操作を受信し、前記第二タッチ操作に基づいてタッチポイント信号を生成し、
前記タッチポイント信号は、少なくとも１つのライティング軌跡を形成するために用いられ、前記カラー設定信号は、前記少なくとも１つのライティング軌跡のカラーを設定するために用いられ、前記電子装置は、前記カラー設定信号及び前記タッチポイント信号を受信し、前記少なくとも１つのライティング軌跡に基づいて少なくとも１つの出力ファイルを生成し、前記カラー設定信号に基づいて前記少なくとも１つの出力ファイルのファイル内容を、設定されたカラーで前記表示パネルに表示させる、電子ホワイトボード。
【請求項２】
請求項1に記載の電子ホワイトボードであって、
前記電子ホワイトボードは、通信インターフェースにより、前記カラー設定信号及び前記タッチポイント信号を前記電子装置に伝送する、電子ホワイトボード。
【請求項３】
請求項1に記載の電子ホワイトボードであって、
前記複数のカラー選択領域の各々は、タッチの有無を検出し、対応する前記複数の軌跡カラーの各々に基づいて、前記カラー設定信号のカラー種類情報を設定する、電子ホワイトボード。
【請求項４】
請求項1に記載の電子ホワイトボードであって、
前記複数のカラー選択領域の各々は、所定時間区間内のタッチの回数を検出し、又は、タッチの持続時間を検出し、前記カラー設定信号の輝度情報又は彩度情報を生成する、電子ホワイトボード。
【請求項５】
請求項1に記載の電子ホワイトボードであって、
前記第一タッチ操作は、前記第二タッチ操作の前に発生し、前記複数のカラー選択領域の各々は、前記第一タッチ操作を受信し、その後に前記軌跡入力領域が受信する前記第二タッチ操作に対応する前記少なくとも１つのライティング軌跡が前記表示パネルに表示されるカラーを設定する、電子ホワイトボード。
【請求項６】
電子ホワイトボードシステムであって、
少なくとも１つの電子ホワイトボード及び電子装置を含み、
前記少なくとも１つの電子ホワイトボードは、複数のカラー選択領域及び軌跡入力領域を含み、
前記複数のカラー選択領域は、それぞれ、複数の軌跡カラーに対応し、前記複数のカラー選択領域の各々は、第一タッチ操作を受信し、前記第一タッチ操作に基づいてカラー設定信号を生成し、
前記軌跡入力領域は、第二タッチ操作を受信し、前記第二タッチ操作に基づいてタッチポイント信号を生成し、
前記電子装置は、表示パネルを有し、前記電子装置は、前記少なくとも１つの電子ホワイトボードに接続され、前記カラー設定信号及び前記タッチポイント信号を受信し、時間情報に基づいて前記タッチポイント信号を解析することで少なくとも１つのライティング軌跡を取得し、前記カラー設定信号に基づいて前記少なくとも１つのライティング軌跡のカラーを設定し、前記少なくとも１つのライティング軌跡に基づいて少なくとも１つの出力ファイルを生成し、前記カラー設定信号に基づいて前記少なくとも１つの出力ファイルのファイル内容を、設定されたカラーで前記表示パネルに表示させる、電子ホワイトボードシステム。
【請求項７】
請求項6に記載の電子ホワイトボードシステムであって、
前記電子ホワイトボードシステムは、さらに、通信インターフェースを含み、前記少なくとも１つの電子ホワイトボードは、前記通信インターフェースにより、前記カラー設定信号及び前記タッチポイント信号を前記電子装置に伝送する、電子ホワイトボードシステム。
【請求項８】
請求項6に記載の電子ホワイトボードシステムであって、
前記電子装置は、前記複数のカラー選択領域の各々におけるタッチの有無に従って、対応する前記複数の軌跡カラーの各々に基づいて前記カラー設定信号のカラー種類情報を生成する、電子ホワイトボードシステム。
【請求項９】
請求項6に記載の電子ホワイトボードシステムであって、
前記電子装置は、前記複数のカラー選択領域の各々における所定時間区間内のタッチの回数、又は、前記複数のカラー選択領域の各々におけるタッチの持続時間に基づいて、前記カラー設定信号の輝度情報又は彩度情報を生成する、電子ホワイトボードシステム。
【請求項１０】
請求項6に記載の電子ホワイトボードシステムであって、
前記第一タッチ操作は、前記第二タッチ操作の前に発生し、前記複数のカラー選択領域の各々は、前記第一タッチ操作を受信し、その後に前記軌跡入力領域が受信する前記第二タッチ操作に対応する前記少なくとも１つのライティング軌跡が前記表示パネルに表示されるカラーを設定する、電子ホワイトボードシステム。
【請求項１１】
電子ホワイトボードの操作制御方法であって、
少なくとも１つの電子ホワイトボードを提供し；
前記少なくとも１つの電子ホワイトボードに、複数の軌跡カラーにそれぞれ対応する複数のカラー選択領域を提供させ、前記複数のカラー選択領域の各々に第一タッチ操作を受信させ、前記第一タッチ操作に基づいてカラー設定信号を生成させ；
前記少なくとも１つの電子ホワイトボードに軌跡入力領域を提供させ、前記軌跡入力領域に第二タッチ操作を受信させ、前記第二タッチ操作に基づいてタッチポイント信号を生成させ；及び
表示パネルを有する電子装置を提供し、前記電子装置に前記カラー設定信号及び前記タッチポイント信号を受信させ、時間情報に基づいて前記タッチポイント信号を解析することで少なくとも１つのライティング軌跡を取得させ、前記カラー設定信号に基づいて前記少なくとも１つのライティング軌跡のカラーを設定させ、前記少なくとも１つのライティング軌跡に基づいて少なくとも１つの出力ファイルを生成させ、前記カラー設定信号に基づいて前記少なくとも１つの出力ファイルのファイル内容を、設定されたカラーで前記表示パネルに表示させることを含む、電子ホワイトボードの操作制御方法。
【請求項１２】
請求項11に記載の電子ホワイトボードの操作制御方法であって、さらに、
前記複数のカラー選択領域の各々におけるタッチの有無に従って、対応する前記複数の軌跡カラーの各々に基づいて前記カラー設定信号のカラー種類情報を生成することを含む、電子ホワイトボードの操作制御方法。
【請求項１３】
請求項11に記載の電子ホワイトボードの操作制御方法であって、さらに、
前記複数のカラー選択領域の各々における所定時間区間内のタッチの回数、又は、前記複数のカラー選択領域の各々におけるタッチの持続時間に基づいて、前記カラー設定信号の輝度情報又は彩度情報を生成することを含む、電子ホワイトボードの操作制御方法。
【請求項１４】
請求項11に記載の電子ホワイトボードの操作制御方法であって、
前記第一タッチ操作は、前記第二タッチ操作の前に発生し、前記複数のカラー選択領域の各々は、前記第一タッチ操作を受信し、その後に前記軌跡入力領域が受信する前記第二タッチ操作に対応する前記少なくとも１つのライティング軌跡が前記表示パネルに表示されるカラーを設定する、電子ホワイトボードの操作制御方法。
【請求項１５】
電子ホワイトボードシステムであって、
少なくとも１つの電子ホワイトボード及び電子装置を含み、
前記少なくとも１つの電子ホワイトボードは、タッチ検出動作により、タッチ媒体が行ったタッチ操作を検出し、前記タッチ操作に基づいてタッチポイント信号を生成し、
前記電子装置は、前記少なくとも１つの電子ホワイトボードに接続され、前記タッチポイント信号を受信し、時間情報に基づいて前記タッチポイント信号を解析することで少なくともライティング軌跡を取得し、前記電子装置は、前記少なくとも１つのライティング軌跡に基づいて少なくとも１つの出力ファイルを生成する、電子ホワイトボードシステム。
【請求項１６】
請求項15に記載の電子ホワイトボードシステムであって、
前記電子装置は、さらに、前記時間情報に基づいて前記少なくとも１つのライティング軌跡を解析することで少なくとも１つの文字情報を得る、電子ホワイトボードシステム。
【請求項１７】
請求項16に記載の電子ホワイトボードシステムであって、
前記少なくとも１つの電子ホワイトボードは、複数の機能選択領域を含み、各前記機能選択領域におけるタッチの状態に基づいて、前記少なくとも１つの文字情報に対応する文字特徴情報を生成し、前記電子装置は、前記少なくとも１つの文字情報及び対応する前記文字特徴情報に基づいて前記少なくとも１つの出力ファイルを生成する、電子ホワイトボードシステム。
【請求項１８】
請求項17に記載の電子ホワイトボードシステムであって、
前記電子ホワイトボードは、さらに、ファイル名称領域を提供し、前記少なくとも１つの電子ホワイトボードは、前記ファイル名称領域における前記タッチ操作を検出し、ファイル名称タッチポイント信号を生成し、前記電子装置は、前記ファイル名称タッチポイント信号を受信して前記ファイル名称タッチポイント信号を解析することで前記少なくとも１つの出力ファイルのファイル名称を生成する、電子ホワイトボードシステム。
【請求項１９】
請求項17に記載の電子ホワイトボードシステムであって、
前記複数の機能選択領域は、少なくとも１つの文字特徴選択領域を含み、前記少なくとも１つの電子ホワイトボードは、前記少なくとも１つの文字特徴選択領域における前記タッチ操作を検出して特徴タッチポイント信号を生成し、前記電子装置は、前記特徴タッチポイント信号に基づいて前記文字特徴情報を生成する、電子ホワイトボードシステム。
【請求項２０】
請求項19に記載の電子ホワイトボードシステムであって、
前記少なくとも１つの文字特徴選択領域は、軌跡カラー選択領域、文字サイズ選択領域及び文字フォント選択領域のうちの少なくとも１つを含む、電子ホワイトボードシステム。
【請求項２１】
請求項17に記載の電子ホワイトボードシステムであって、
前記複数の機能選択領域は、複数の電子装置操作制御領域を含み、前記少なくとも１つの電子ホワイトボードは、各前記電子装置操作制御領域における前記タッチ操作を検出して操作制御命令を生成し、前記電子装置は、前記複数の操作制御命令を受信し、前記複数の操作制御命令に基づいて、前記複数の電子装置操作制御領域にそれぞれ対応する複数の機能を実行する、電子ホワイトボードシステム。
【請求項２２】
請求項15に記載の電子ホワイトボードシステムであって、
前記電子装置は、有線通信インターフェース又は無線通信インターフェースにより、前記少なくとも１つの電子ホワイトボードに接続される、電子ホワイトボードシステム。
【請求項２３】
請求項15に記載の電子ホワイトボードシステムであって、
前記電子装置は、さらに、少なくとも１つの遠隔電子装置に接続され、
前記電子装置は、前記少なくとも１つの出力ファイルを前記少なくとも１つの遠隔電子装置に伝送する、電子ホワイトボードシステム。
【請求項２４】
請求項23に記載の電子ホワイトボードシステムであって、
前記電子装置は、有線通信インターフェース又は無線通信インターフェースにより、前記少なくとも１つの遠隔電子装置に接続される、電子ホワイトボードシステム。
【請求項２５】
請求項15に記載の電子ホワイトボードシステムであって、
前記電子装置は、前記少なくとも１つの電子ホワイトボードに設けられ、前記電子装置には、電源供給器が配置され、前記電源供給器は、操作電源を前記電子装置及び前記少なくとも１つの電子ホワイトボードに供給する、電子ホワイトボードシステム。
【請求項２６】
請求項15に記載の電子ホワイトボードシステムであって、
前記電子装置は、表示パネルを提供し、前記表示パネルは、前記少なくとも１つの出力ファイルのファイル内容を表示する、電子ホワイトボードシステム。
【請求項２７】
請求項15に記載の電子ホワイトボードシステムであって、
前記電子ホワイトボードシステムは、さらに、磁性物質を含み、
前記磁性物質は、前記少なくとも１つの電子ホワイトボードに配置され、
前記少なくとも１つの電子ホワイトボードは、前記磁性物質により基板に吸着される、電子ホワイトボードシステム。
【請求項２８】
電子ホワイトボードの操作制御方法であって、
少なくとも１つの電子ホワイトボードを提供し、タッチ検出動作により、タッチ媒体が行ったタッチ操作を検出し、前記タッチ操作に基づいてタッチポイント信号を生成し；及び
電子装置を提供し、前記タッチポイント信号を受信し、時間情報に基づいて前記タッチポイント信号を解析することで少なくとも１つのライティング軌跡を取得し、前記電子装置に、前記少なくとも１つのライティング軌跡に基づいて少なくとも１つの出力ファイルを生成させることを含む、操作制御方法。
【請求項２９】
請求項28に記載の操作制御方法であって、さらに、
前記電子装置に、前記時間情報に基づいて前記少なくとも１つのライティング軌跡を解析することで少なくとも１つの文字情報を取得させることを含む、操作制御方法。
【請求項３０】
請求項29に記載の操作制御方法であって、さらに、
前記少なくとも１つの電子ホワイトボードに、複数の機能選択領域を提供させ、各前記機能選択領域におけるタッチの状態に基づいて前記少なくとも１つの文字情報に対応する１つの文字特徴情報を生成させ；及び
前記電子装置に、前記少なくとも１つの文字情報及び対応する前記文字特徴情報に基づいて前記少なくとも１つの出力ファイルを生成させることを含む、操作制御方法。
【請求項３１】
請求項30に記載の操作制御方法であって、
前記少なくとも１つの電子ホワイトボードに前記複数の機能選択領域を提供させることは、
前記少なくとも１つの電子ホワイトボードにファイル名称領域を提供させ、前記ファイル名称領域における前記タッチ操作を検出させ、ファイル名称タッチポイント信号を生成させ；及び
前記電子装置に、前記ファイル名称タッチポイント信号を解析することで前記少なくとも１つの出力ファイルのファイル名称を生成させることを含む、操作制御方法。
【請求項３２】
請求項30に記載の操作制御方法であって、
前記少なくとも１つの電子ホワイトボードに前記複数の機能選択領域を提供させることは、
前記少なくとも１つの電子ホワイトボードに少なくとも１つの文字特徴選択領域を提供させ、前記少なくとも１つの文字特徴選択領域における前記タッチ操作に検出させ、特徴タッチポイント信号を生成させ；及び
前記電子装置に、前記特徴タッチポイント信号に基づいて前記文字特徴情報を生成させることを含む、操作制御方法。
【請求項３３】
請求項32に記載の操作制御方法であって、
前記少なくとも１つの文字特徴選択領域は、軌跡カラー選択領域、文字サイズ選択領域及び文字フォント選択領域のうちの少なくとも１つを含む、操作制御方法。
【請求項３４】
請求項30に記載の操作制御方法であって、
前記少なくとも１つの電子ホワイトボードに前記複数の機能選択領域を提供させることは、
前記少なくとも１つの電子ホワイトボードに複数の電子装置操作制御領域を提供させ、各前記電子装置操作制御領域における前記タッチ操作を検出させ操作制御命令を生成させ；及び
前記電子装置に前記複数の操作制御命令を受信させ、前記複数の操作制御命令に基づいて前記複数の電子装置操作制御領域にそれぞれ対応する複数の機能を実行させることを含む、操作制御方法。
【発明の詳細な説明】
【技術分野】
【０００１】
本発明は、電子ホワイトボード、電子ホワイトボードシステム及びその操作制御方法に関し、特に、タッチ軌跡（touch  track）を記録することができる電子ホワイトボード、電子ホワイトボードシステム及びその操作制御方法に関する。
【背景技術】
【０００２】
電子科学技術の進化に伴い、電子製品が人々の生活中の必要不可欠な工具になっている。なお、生活中の元の工具も次第に電子化の製品に取って代わり、例えば、伝統のホワイトボードを取り替えるための電子ホワイトボードがある。今日の技術分野では、電子ホワイトボードは、使用者がプレゼンを行う期間内で実行する各動作を、今後の参考の根拠として記録することができる。しかし、如何に今日の電子ホワイトボードの機能を最適化するかが、当業者の重要な課題である。
【０００３】
なお、この“背景技術”の部分が、本発明の内容への理解を助けるためだけのものであるため、この“背景技術”の部分に開示されている内容は、当業者に知られていない技術を含む可能性がある。よって、この“背景技術”の部分に開示されている内容は、該内容、又は、本発明の１つ又は複数の実施例が解決しようとする課題が本発明出願前に既に当業者に周知されていることを意味しない。
【発明の概要】
【発明が解決しようとする課題】
【０００４】
本発明の１つの目的は、タッチ操作に基づいてライティング（writing）軌跡を生成し、そして、ライティング軌跡を出力ファイルに変換することができる電子ホワイトボードシステム及びその操作制御方法を提供することにある。
【０００５】
本発明のもう１つの目的は、ライティング軌跡に対応するカラー情報を設定することができる電子ホワイトボード、電子ホワイトボードシステム及びその操作制御方法を提供することにある。
【０００６】
本発明の他の目的及び利点は、本発明に開示されている技術的特徴からさらに理解することができる。
【課題を解決するための手段】
【０００７】
上述の１つ又は一部又は全部の目的或いは他の目的を達成するために、本発明の一実施例による電子ホワイトボードは、表示パネルを有する電子装置に接続される。電子ホワイトボードは、複数のカラー選択領域及び軌跡入力領域を含む。複数のカラー選択領域は、それぞれ、複数の軌跡カラーに対応し、各カラー選択領域は、第一タッチ操作を受信し、そして、第一タッチ操作に基づいてカラー設定信号を生成する。軌跡入力領域は、第二タッチ操作を受信し、そして、第二タッチ操作に基づいてタッチポイント信号を生成する。そのうち、タッチポイント信号は、少なくとも１つのライティング軌跡を形成し、カラー設定信号は、少なくとも１つのライティング軌跡のカラーを設定するために用いられ、電子装置は、カラー設定信号及びタッチポイント信号を受信し、そして、少なくとも１つのライティング軌跡に基づいて少なくとも１つの出力ファイルを生成し、且つカラー設定信号に基づいて少なくとも１つの出力ファイルのファイル内容を設定されたカラーで表示パネルに表示させる。
【０００８】
上述の１つ又は一部又は全部の目的或いは他の目的を達成するために、本発明の一実施例による電子ホワイトボードシステムは、少なくとも１つの電子ホワイトボード及び電子装置を含む。少なくとも１つの電子ホワイトボードは、複数のカラー選択領域及び軌跡入力領域を含む。複数のカラー選択領域は、それぞれ、複数の軌跡カラーに対応し、各カラー選択領域は、第一タッチ操作を受信し、そして、第一タッチ操作に基づいてカラー設定信号を生成する。軌跡入力領域は、第二タッチ操作を受信し、そして、第二タッチ操作に基づいてタッチポイント信号を生成する。電子装置は、表示パネルを有する。電子装置は、少なくとも１つの電子ホワイトボードに接続され、カラー設定信号及びタッチポイント信号を受信する。電子装置は、時間情報に基づいてタッチポイント信号を解析することで少なくとも１つのライティング軌跡を取得し、カラー設定信号に基づいて少なくとも１つのライティング軌跡のカラーを設定し、少なくとも１つのライティング軌跡に基づいて少なくとも１つの出力ファイルを生成し、そして、カラー設定信号に基づいて少なくとも１つの出力ファイルのファイル内容を設定されたカラーで表示パネルに表示させる。
【０００９】
上述の１つ又は一部又は全部の目的或いは他の目的を達成するために、本発明の一実施例による電子ホワイトボードの操作制御方法は、少なくとも１つの電子ホワイトボードを提供し；少なくとも１つの電子ホワイトボードに、複数の軌跡カラーにそれぞれ対応する複数のカラー選択領域を提供させ、各カラー選択領域に第一タッチ操作を受信させ、そして、第一タッチ操作に基づいてカラー設定信号を生成させ；少なくとも１つの電子ホワイトボードに軌跡入力領域を提供させ、軌跡入力領域に第二タッチ操作を受信させ、且つ第二タッチ操作に基づいてタッチポイント信号を生成させ；及び、表示パネルを有する電子装置を提供し、電子装置にカラー設定信号及びタッチポイント信号を受信させ、時間情報に基づいてタッチポイント信号を解析することで少なくとも１つのライティング軌跡を取得させ、カラー設定信号に基づいて少なくとも１つのライティング軌跡のカラーを設定させ、少なくとも１つのライティング軌跡に基づいて少なくとも１つの出力ファイルを生成させ、そして、カラー設定信号に基づいて少なくとも１つの出力ファイルのファイル内容を設定されたカラーで表示パネルに表示させることを含む。
【００１０】
上述の１つ又は一部又は全部の目的或いは他の目的を達成するために、本発明の一実施例による電子ホワイトボードシステムは、少なくとも１つの電子ホワイトボード及び電子装置を含む。少なくとも１つの電子ホワイトボードは、タッチ検出動作により、タッチ媒体が行ったタッチ操作を検出し、そして、タッチ操作に基づいてタッチポイント信号を生成する。電子装置は、少なくとも１つの電子ホワイトボードに接続され、タッチポイント信号を受信し、時間情報に基づいてタッチポイント信号を解析することで少なくとも１つのライティング軌跡を取得し、電子装置は、少なくとも１つのライティング軌跡に基づいて少なくとも１つの出力ファイルを生成する。
【００１１】
上述の１つ又は一部又は全部の目的或いは他の目的を達成するために、本発明の一実施例による電子ホワイトボードの操作制御方法は、少なくとも１つの電子ホワイトボードを提供し、タッチ検出動作により、タッチ媒体が行ったタッチ操作を検出し、そして、タッチ操作に基づいてタッチポイント信号を生成し；電子装置を提供し、タッチポイント信号を受信し、そして、時間情報に基づいてタッチポイント信号を解析することで少なくとも１つのライティング軌跡を取得し、電子装置に、少なくとも１つのライティング軌跡に基づいて少なくとも１つの出力ファイルを生成させることを含む。
【００１２】
上述により、本発明の実施例による電子ホワイトボードは、軌跡入力領域及び複数のカラー選択領域を有する。軌跡入力領域は、タッチ操作の受信により、ライティング軌跡を生成し、カラー選択領域は、タッチ操作の受信により、カラー設定信号を生成する。電子ホワイトボードは、カラー設定信号に基づいて、その後に生成されるライティング軌跡の１つ又は複数のカラー情報を設定し、そして、ライティング軌跡を、対応するカラー情報に基づいて、電子装置の表示パネルに表示させることができる。
【００１３】
本発明の上述の特徴及び利点をより明らかにするために、以下、実施例を挙げて、添付した図面を参照することにより、詳細に説明する。
【図面の簡単な説明】
【００１４】
【図１】本発明の一実施例による電子ホワイトボードを示す図である。
【図２】本発明の実施例による出力ファイル内容を示す図である。
【図３】本発明の実施例による電子ホワイトボードシステムを示す図である。
【図４Ａ】本発明の実施例による電子ホワイトボードシステムの一実施方式を示す図である。
【図４Ｂ】本発明の実施例による電子ホワイトボードシステムの一実施方式を示す図である。
【図４Ｃ】本発明の実施例による電子ホワイトボードシステムの一実施方式を示す図である。
【図５】発明のもう１つの実施例による電子ホワイトボードシステムを示す図である。
【図６】本発明の一実施例による電子ホワイトボード操作制御方法のフローチャートである。
【図７】本発明のもう１つの実施例による電子ホワイトボード操作制御方法のフローチャートである。
【発明を実施するための形態】
【００１５】
本発明の上述した及び他の技術的内容、特徴、機能及び効果は、添付した図面に基づく次のような好ましい実施例における詳細な説明により明確になる。なお、次の実施例に言及されている方向についての用語、例えば、上、下、左、右、前又は後などは、添付した図面の方向に過ぎない。よって、使用されている方向の用語は、本発明を説明するためだけのものであり、本発明を限定するためのものではない。
【００１６】
図1を参照する。図1は、本発明の一実施例による電子ホワイトボードを示す図である。電子ホワイトボード100は、電子装置101に接続されることが可能であり、そのうち、電子装置101は、表示パネルSCを有する。電子ホワイトボード100は、軌跡入力領域110及び複数のカラー選択領域121〜12Nを有する。軌跡入力領域110は、タッチ操作を受信し、そして、タッチ操作に基づいてタッチポイント信号TPSを生成する。各カラー選択領域121〜12Nは、他のタッチ操作を受信し、カラー設定信号CSSを生成する。そのうち、カラー選択領域121〜12Nは、それぞれ、異なる軌跡カラーに対応し、また、上述の対応関係は、設計者により予め定義されても良く、使用者により自己定義されても良く、特に限定されない。
【００１７】
タッチポイント信号TPS及びカラー設定信号CSSは、電子装置101に伝送することができる。電子装置101は、タッチポイント信号TPSに基づいて、１つ又は複数のライティング軌跡を形成することができ、電子装置101は、また、カラー設定信号CSSに基づいて、上述のライティング軌跡の軌跡カラーを設定することができる。また、電子装置101は、形成されたライティング軌跡に基づいて、１つ又は複数の出力ファイルを生成し、ファイル内容を表示パネルSCに表示させることができる。そのうち、ファイル内容に含まれる１つ又は複数のライティング軌跡の表示カラーは、カラー設定信号CSSに基づいて生成することができる。
【００１８】
具体的に言えば、先ず、カラー選択領域121〜12Nのうちの１つは、第一タッチ操作を受信し、第一タッチ操作に基づいてカラー設定信号CSSを生成し、そして、カラー設定信号CSSを電子装置101に伝送させる。続いて、軌跡入力領域110は、第二タッチ操作を受信し、第二タッチ操作に基づいてタッチポイント信号TPSを生成し、そして、タッチポイント信号TPSを電子装置101に伝送させる。また、電子装置101は、先ず、カラー設定信号CSSを受信し、その後、タッチポイント信号TPSを受信する。電子装置101は、カラー設定信号CSSに基づいて、設定された軌跡カラーを取得することができる。電子装置101は、タッチポイント信号TPSに対して解析を行うことにより、１つ又は複数のライティング軌跡を生成することができる。電子装置101は、また、設定された軌跡カラーに基づいて、上述の１つ又は複数のライティング軌跡のカラーを設定することができる。
【００１９】
電子装置101は、取得した１つ又は複数のライティング軌跡及びライティング軌跡に対応するカラーの関連情報を出力ファイルに格納することができる。電子装置101は、また、表示パネルSCにより、出力ファイルの内容を表示し、各ライティング軌跡に対応するカラーに基づいて、各軌跡の表示動作を行うことができる。
【００２０】
本発明の実施例では、タッチポイント信号TPSは、時間シーケンス情報に基づいて生成された複数のタッチ点の関連情報（例えば、座標位置）を反映する。電子装置101は、上述の複数のタッチ点の発生の時間順序に従って、タッチ点の座標位置に基づいて、１つ又は複数のライティング軌跡を形成することができる。
【００２１】
また、各カラー選択領域121〜12Nは、タッチの有無に基づいて、カラー設定信号CSSを生成することができる。例えば、カラー選択領域121〜12Nのうちの１つにタッチがあったときに、該タッチがあったカラー選択領域（例えば、カラー選択領域121）は、対応する軌跡カラーに基づいて、カラー設定信号CSSを生成し、そして、カラー設定信号CSSを電子装置101に伝送する。カラー選択領域121に対応する軌跡カラーの種類が赤色であるケースを例とすると、電子装置101は、後続で生成されるライティング軌跡のカラー種類情報を赤色に設定することができる。その後、例えば、カラー選択領域122に新しいタッチがあったときに、カラー選択領域122は、対応する軌跡カラー（例えば、緑色）に基づいてカラー設定信号CSSを生成し、そして、カラー設定信号CSSを電子装置101に伝送する。この場合、電子装置101は、後続で生成されるライティング軌跡のカラー種類情報を緑色に変更することができる。
【００２２】
また、各カラー選択領域121〜12Nは、さらに、所定時間区間内のタッチの回数を検出し、又は、タッチの持続時間を検出することで、カラー設定信号CSSの輝度情報又は彩度情報を生成することができる。例を挙げて言うと、各カラー選択領域121〜12Nは、１つの所定時間区間内の複数回の連続したタッチの発生状態を検出した場合、タッチの回数に基づいて、対応するライティング軌跡の輝度（又は、彩度）を調整することができる。各カラー選択領域121〜12Nにより、タッチの動作が持続的で且つ割り込みの無いものであると検出された場合、各カラー選択領域121〜12Nは、タッチの持続時間を検出し、そして、タッチの持続時間に基づいて、対応するライティング軌跡の輝度（又は、彩度）を調整することができる。
【００２３】
上述の実施方式では、ライティング軌跡の輝度は、タッチの回数や持続時間に正比例又は反比例しても良い。ライティング軌跡の彩度も、タッチの回数や持続時間に正比例又は反比例しても良い。
【００２４】
なお、電子ホワイトボード100は、電子装置101との間で通信インターフェースにより情報の交換を行うことができる。電子ホワイトボード100は、通信インターフェースにより、カラー設定信号CSS及びタッチポイント信号TPSを電子装置101に伝送することができる。通信インターフェースは、有線又は無線通信インターフェースであっても良い。また、当業者に周知の有線又は無線通信インターフェースは、全て、本発明の実施例に適用することができ、特に限定されない。
【００２５】
また、電子装置101は、さらに、ライティング軌跡を解析し、筆跡-文字変換動作により、ライティング軌跡を文字情報に変換し、そして、文字情報及びそれに対応する軌跡カラー、輝度情報及び彩度情報を出力ファイルに格納することができる。
【００２６】
本実施例では、電子装置101は、任意の携帯型又は非携帯型の電子装置であっても良く、例えば、スマートフォン、デスクトップパソコン、ノートパソコン、タブレットPCなどである。
【００２７】
図2を参照する。図2は、本発明の実施例における出力ファイルの内容を示す図である。出力ファイル200には、ライティング軌跡211〜213、221〜223が含まれており、そのうち、ライティング軌跡211〜213は、文字のライティング軌跡であり、ライティング軌跡221〜223は、図形のライティング軌跡である。ライティング軌跡211〜213、221〜223が順に生成されるケースを例とすると、ライティング軌跡211〜213が生成される前に、電子ホワイトボード伝送のカラー設定信号のカラー種類情報が青色であれば、電子装置中の表示パネルに表示されるライティング軌跡211〜213は、青色である。ライティング軌跡211〜213が生成された後、且つライティング軌跡221〜223が生成される前に、電子ホワイトボード伝送のカラー設定信号のカラー種類情報が緑色であれば、電子装置中の表示パネルに表示されるライティング軌跡221〜223は、緑色である。
【００２８】
本発明の実施例では、出力ファイルには、文字のみのライティング軌跡が含まれても良く、図形のみのライティング軌跡が含まれても良く、又は、文字及び図形のライティング軌跡の両方が含まれても良く、特に限定されない。
【００２９】
以下、図3を参照する。図3は、本発明の実施例による電子ホワイトボードシステムを示す図である。電子ホワイトボードシステム300は、電子ホワイトボード310及び電子装置320を含む。電子ホワイトボード310には、タッチ機能付きのタッチパネルがある。電子ホワイトボード310は、タッチ検出動作により、タッチ媒体が電子ホワイトボード310上で行ったタッチ操作を検出し、そして、検出したタッチ操作に基づいてタッチポイント信号TPSを生成する。本実施例では、電子ホワイトボード310は、自ら提供のタッチ可能領域に基づいて座標システムを形成することができ、また、電子ホワイトボード310上にタッチがあったときに、電子ホワイトボード310は、異なる時点に発生したタッチの位置の座標値を検出し、そして、これらの座標値に基づいてタッチポイント信号TPSを生成することができる。本実施例では、電子ホワイトボード110は、静電容量式タッチ検出、電磁式タッチ検出、抵抗式タッチ検出、又は、当業者に周知の他の種類のタッチ検出動作により、タッチ操作を検出することができる。本実施例では、電子ホワイトボード310には、さらに処理器が設けられても良く、この処理器は、タッチ操作に基づいて、タッチポイント信号TPSを生成することができる。
【００３０】
上述のタッチ媒体は、電子ホワイトボード310のタッチ検出方式に応じて形成されても良く、静電容量式タッチ検出方式を例とすると、タッチ媒体は、導電能力を持つ水筆であっても良いが、これに限定されない。
【００３１】
電子装置320は、電子ホワイトボード310に接続される。電子装置320は、表示パネルSCを有する。電子装置320は、電子ホワイトボード310送信のタッチポイント信号TPS及びカラー設定信号CSSを受信する。電子装置320は、時間情報に基づいて、タッチポイント信号TPSを解析することで、１つ又は複数のライティング軌跡を得ることができる。例えば、電子装置320により、時点t1に発生したタッチ点の座標が（x1、y1）、時点t2に発生したタッチ点の座標が（x2、y2）、時点t3に発生したタッチ点の座標が（x3、y3）であり、そのうち、時点t1が時点t2よりも早く、時点t2が時点t3よりも早いと判断されれば、タッチポイント信号TPS中の順に発生した複数のタッチ点の位置関係を解析するにより、電子装置120は、電子ホワイトボード310送信のタッチポイント信号TPSに基づいて、使用者が行ったライティングの筆画及び順序を得ることができる。電子装置320は、取得したライティング軌跡を、出力ファイル330を生成する方式で記録することができる。一実施例では、例えば、図形フォーマットの出力ファイル330により、図形のライティング軌跡を記録するが、これに限定されない。本実施例では、出力ファイル330は、電子装置320の表示パネルSC上に表示することができる。電子装置320は、任意の携帯型又は非携帯型の電子装置、例えば、スマートフォン、デスクトップパソコン、ノートパソコン、タブレットパソコンなどであっても良い。
【００３２】
本実施例では、電子ホワイトボード310には、軌跡入力領域311及び機能選択領域3121〜312Nが提供される。電子ホワイトボード310は、ライティング領域311上のタッチ状態に基づいてタッチポイント信号TPSを生成し、タッチポイント信号TPSが電子装置320に伝送されたときに、電子装置320は、この時のタッチポイント信号TPSに基づいて１つ又は複数のライティング軌跡を生成することができる。本実施例では、電子装置320は、タッチポイント信号TPSを解析することで、使用者が電子ホワイトボード310上で編集を行った筆画の順序を知り、そして、これに基づいて、１つ又は複数の筆跡、ライティング文字又は絵図を有するライティング軌跡を生成し、また、電子装置320は、ライティング軌跡の発生の時間順序に関する時間情報に基づいて記録を行うこともできる。このようにして、本実施例では、電子装置320は、使用者の電子ホワイトボード310上のライティングの筆跡／ライティング軌跡をそのまま電子装置320に表示／記録することができる。
【００３３】
一実施例では、電子装置320は、タッチポイント信号TPSに基づいて使用者の筆跡を知り、そして、取得した筆跡に対して筆跡-文字変換動作を行うことで、１つ又は複数の文字情報を得ることができる。一実施例では、電子装置320がタッチポイント信号TPSを解析して文字情報を生成する方式は、当業者に周知の筆跡-文字変換方式を採用して実行されても良いが、特に限定されない。また、電子ホワイトボード310上の機能選択領域3121〜312Nは、使用者が文字特徴の選択を行う動作の提供を含んでも良い。また、電子ホワイトボード310は、機能選択領域3121〜312Nのタッチ状態に基づいて、対応する文字特徴情報を生成し、そして、生成した文字特徴情報を電子装置320に伝送することができる。具体的に言えば、時間情報に従って、電子装置320は、文字情報及び文字特徴情報の生成時間に基づいて記録を行い、文字特徴情報に対応する文字情報をルックアップにより見つけることができる。例を挙げて説明すると、文字特徴情報は、文字のサイズ、カラー、フォント、タイプフェース（斜体又は正体、太字体又は細字体）などを含む。時点T1の時に、電子装置320は、文字筆画の太さが太字体と設定される文字特徴情報を受信した場合、時点T1の後に生成される文字情報に含まれる文字が全て太字体であると設定する。その後の時点T2において、文字のタイプフェースが斜体と設定される文字特徴情報を受信したときに、電子装置120は、時点T2の後に生成される文字情報に含まれる文字のタイプフェースが全て斜体字であると設定する。このようにして、電子ホワイトボード310に書かれた文字が第一文字特徴情報（例えば、大サイズ、赤色、MingLiU（フォント）、及び太字体）を有する場合、電子装置320は、その同時に第一文字特徴情報に対応する文字を生成することで、対応する出力ファイル330を生成することができ、同様に、電子ホワイトボード310に書かれた文字が第二文字特徴情報（例えば、小サイズ、青色、DFKai-SB（フォント）、及び太字体）を有する場合、電子装置320は、その同時に第二文字特徴情報に対応する文字を生成することで、対応する出力ファイル330を生成することができる。
【００３４】
電子ホワイトボード310上の機能選択領域3121〜312Nは、さらに、異なる軌跡カラーにそれぞれ対応するカラー選択領域を含んでも良い。そのうち、各カラー選択領域にタッチがあったと検出されるときに、電子ホワイトボード310は、カラー設定信号CSSを生成し、そして、カラー設定信号CSSを電子装置320に伝送することができる。電子装置320は、カラー設定信号CSSに基づいて、対応するライティング軌跡のカラー種類を設定し、そして、さらにカラー設定信号CSSに基づいて、対応するライティング軌跡の輝度情報及び彩度情報を設定することができる。
【００３５】
カラー選択領域及びカラー設定信号CSSの実施細部については、前述の実施例に詳細に説明されているため、ここでは、その記載を割愛する。
【００３６】
また、本実施例では、軌跡入力領域311には、ファイル名称領域3111が設けられても良い。電子ホワイトボード310は、ファイル名称領域3111中のタッチ操作を検出することでファイル名称タッチポイント信号を生成することができる。電子装置320は、ファイル名称タッチポイント信号を解析することで出力ファイル330のファイル名称を生成することができる。本実施例では、ファイル名称領域3111は、例えば、電子ホワイトボード310の上方に位置するが、これに限定されない。他の実施例では、ファイル名称領域3111は、設計のニーズに応じて、電子ホワイトボード310の下方、左側、右側、中間、又は他の適切な場所に位置しても良い。
【００３７】
他の実施例では、機能選択領域3121〜312Nには、さらに、複数の電子装置操作制御領域が含まれても良い。電子ホワイトボード310は、電子装置操作制御領域中のタッチ操作を検出することで操作制御命令を生成することができ、電子装置320は、上述の操作制御命令に基づいて、対応する機能を行うことができる。例えば、電子装置操作制御領域は、ファイル保存及び画面表示の制御機能を含んでも良い。ファイル保存に対応する電子装置操作制御領域にタッチ操作があったときに、電子ホワイトボード310は、ファイル保存に対応する操作制御命令を送信し、電子装置320は、受信した操作制御命令に基づいて出力ファイルのファイル保存動作を行う。画面表示に対応する制御機能(例えば、クリア又は移動などの制御機能)の電子装置操作制御領域にタッチ操作があったときに、電子装置320は、受信した操作制御命令に基づいて、画面表示のクリア又は画面表示の移動の動作を行うことで画面表示の動作を行う。しかし、上述の機能選択領域3121〜312Nの機能項目は、例示に過ぎず、機能選択領域3121〜312Nの機能項目は、設計のニーズに応じて設定されても良い。
【００３８】
図4A乃至図4Cを参照する。図4A乃至図4Cは、本発明の実施例による電子ホワイトボードシステムの異なる実施方式を示す図である。図4Aでは、電子装置420は、有線通信インターフェース（例えば、USB）の方式で電子ホワイトボード410に接続される。本実施例では、電子装置420は、例えば、ノートパソコン（notebook  computer）であるが、これに限定されない。一実施例では、電子装置420は、パソコン（personal  computer、PC）であっても良いが、これにも限られない。また、電子装置420は、さらに、１つ又は複数の遠隔電子装置431〜433に接続されても良い。電子装置420は、生成された出力ファイルを遠隔電子装置431〜433に伝送することができ、これにより、遠隔電子装置431〜433は、電子装置420生成の出力ファイルをアクセスすることで、電子装置420と遠隔電子装置431〜433は、出力ファイルをシェアする効果を達成することができる。
【００３９】
本実施方式では、遠隔電子装置431、432及び433は、それぞれ、スマートフォン、タブレット及びノートパソコンであっても良い。一実施例では、遠隔電子装置431（例えば、スマートフォン）／遠隔電子装置432（例えば、タブレット）には、Android又はiOSなどのオペレーティングシステムを有しても良いが、これに限定されない。一実施例では、遠隔電子装置433（例えば、ノートパソコン）には、Windows、Chrome  OS又はMac  OSなどのオペレーティングシステムを有しても良いが、これに限られない。遠隔電子装置431〜433は、専用のアプリケーションプログラム（application、APP）がインストールされ、有線又は無線通信インターフェースにより電子装置420に接続されても良い。一実施例では、有線通信インターフェースは、例えば、イーサネット（登録商標）（Ethernet）ネットワークインターフェースであり、無線通信インターフェースは、例えば、Wi-Fiであるが、これに限定されない。
【００４０】
図4Bでは、電子ホワイトボード410には、無線信号送受信器440が配置又は内蔵され（即ち、無線信号送受信器440が電子ホワイトボード410に設けられ又は内蔵され）、電子装置420は、無線通信インターフェースにより、電子ホワイトボード410と通信動作を行うことができる。本実施例では、無線信号送受信器440は、近接又は遠隔の無線通信インターフェースを提供することができる。電子装置420は、さらに、１つ又は複数の遠隔電子装置431〜433に接続されることで、出力ファイルのシェア動作を行っても良い。図4B中の他の実施細部については、前述の図4Aの実施例に既に説明されているので、ここでは、その記載を割愛する。
【００４１】
図4Cでは、電子装置420は、電子ホワイトボード410に設けられ、電子装置420には、電源供給器421が配置され、電源供給器421は、操作電源を電子装置420及び電子ホワイトボード410に供給する。本実施例では、電子装置420は、例えば、ミニパソコン（mini  personal  computer、mini  PC）であり、電源供給器421は、例えば、バッテリーバンク（battery bank）であるが、これに限定されない。このようにして、電子装置420及び随時供電可能な電源供給器421を電子ホワイトボード410に統合することで、本実施例における電子ホワイトボードシステムの携帯性が向上し、使用者が電子装置420を直接操作し、電子ホワイトボード410に他のコンピュータを接続する必要がないので、使用上の利便性を向上させることができる。また、電子装置420は、さらに、１つ又は複数の遠隔電子装置431〜433に接続されることで、出力ファイルのシェア動作を行うこともできる。図4C中の他の実施細部については、前述の図4Aの実施例に既に説明されているため、ここでは、その記載を割愛する。
【００４２】
図5を参照する。図5は、本発明の他の実施例による電子ホワイトボードシステムを示す図である。電子ホワイトボードシステム500は、電子ホワイトボード511〜51Nにそれぞれ磁性物質521〜52Nが配置される。磁性物質521〜52Nにより、電子ホワイトボード511〜51Nは、基板501に吸着され、複数の使用者は、ライティング動作を行うことができる。このようにして、使用上の利便性を有効に向上させることができる。
【００４３】
図6を参照する。図6は、本発明の一実施例における電子ホワイトボード操作制御方法のフローチャートである。ステップS610では、少なくとも１つの電子ホワイトボードを提供し；ステップS620では、少なくとも１つの電子ホワイトボードに、複数の軌跡カラーにそれぞれ対応する複数のカラー選択領域を提供させ、各カラー選択領域に第一タッチ操作を受信させ、そして、第一タッチ操作に基づいてカラー設定信号を生成させ；ステップS630では、少なくとも１つの電子ホワイトボードに軌跡入力領域を提供させ、軌跡入力領域に第二タッチ操作を受信させ、そして、第二タッチ操作に基づいてタッチポイント信号を生成させ；ステップS640では、表示パネルを有する電子装置を提供し、電子装置にカラー設定信号及びタッチポイント信号を受信させ、時間情報に基づいてタッチポイント信号を解析することで少なくとも１つのライティング軌跡を取得させ、カラー設定信号に基づいて少なくとも１つのライティング軌跡のカラーを設定させ、少なくとも１つのライティング軌跡に基づいて少なくとも１つの出力ファイルを生成させ、そして、カラー設定信号に基づいて少なくとも１つの出力ファイルのファイル内容を設定されたカラーで表示パネルに表示させる。
【００４４】
上述のステップの実施方式及び実施細部については、前述の実施例及実施方式に既に詳しく説明されているので、ここでは、その記載を割愛する。
【００４５】
図7を参照する。図7は、本発明の他の実施例による電子ホワイトボード操作制御方法のフローチャートである。ステップS710では、少なくとも１つの電子ホワイトボードを提供し、タッチ検出動作により、タッチ媒体が行ったタッチ操作を検出し、そして、タッチ操作に基づいてタッチポイント信号を生成し；ステップS720では、電子装置を提供し、タッチポイント信号を受信し、時間情報に基づいてタッチポイント信号を解析することで少なくとも１つのライティング軌跡を取得し；ステップS730では、電子装置に、少なくとも１つのライティング軌跡に基づいて、少なくとも１つの出力ファイルを生成させる。
【００４６】
上述のステップの実施方式及び実施細部については、前述の実施例及び実施方式に既に詳しく説明されているため、ここでは、その記載を割愛する。
【００４７】
以上のことから、本発明の実施例では、１つ又は複数の電子ホワイトボードを提供し、タッチ媒体が行ったタッチ操作を検出することで、タッチポイント信号を生成する。本発明の実施例では、電子装置により、時間情報に基づいてタッチポイント信号を解析することで少なくとも１つのライティング軌跡を生成し、電子装置は、少なくとも１つのライティング軌跡に基づいて１つ又は複数の出力ファイルを生成する。本発明の実施例では、電子ホワイトボードを提供し、タッチ検出動作により、使用者が書いたライティングの筆跡を検出し、そして、文字情報に変換する。本発明の実施例では、さらに、カラー選択領域を提供し、カラー選択領域上のタッチ動作を検出することで、ライティング軌跡のカラーを設定する。また、本発明の実施例では、電子ホワイトボードは、使用者入力の文字情報に対応する文字特徴情報を受信し、そして、電子装置により、文字情報及び対応する文字特徴情報に基づいて出力ファイルを生成する。このようにして、本発明の実施例による電子ホワイトボードシステムは、より有効なヒューマンマシンインターフェースを提供し、電子ホワイトボードシステムの使用機能を大幅に向上させることができる。
【００４８】
本発明は、前述した好適な実施例に基づいて以上のように開示されたが、前述した好適な実施例は、本発明を限定するためのものでなく、当業者は、本発明の思想と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の一部と発明の名称は、文献の検索を助けるためのみのものであり、本発明の権利範囲を限定するものでない。また、本明細書又は特許請求の範囲に言及されている「第一」、「第二」などの用語は、要素（element）に名前を付け、又は、異なる実施例又は範囲を区別するためのものみであり、要素の数量上での上限又は下限を限定するためのものでない。
【符号の説明】
【００４９】
100、310、410、511〜51N：電子ホワイトボード
101、320、420：電子装置
110、311：軌跡入力領域
121〜12N：カラー選択領域
200、330：出力ファイル
211〜213、221〜223：ライティング軌跡
300、500：電子ホワイトボードシステム
3121〜312N：機能選択領域
431〜433：遠隔電子装置
421：電源供給器
521〜52N：磁性物質
501：基板
SC：表示パネル
TPS：タッチポイント信号
CSS：カラー設定信号
S610〜S640、S710〜S730：電子ホワイトボード操作制御ステップ
【図１】
2019207681.tif 000003
【図２】
2019207681.tif 000004
【図３】
2019207681.tif 000005
【図４Ａ】
2019207681.tif 000006
【図４Ｂ】
2019207681.tif 000007
【図４Ｃ】
2019207681.tif 000008
【図５】
2019207681.tif 000009
【図６】
2019207681.tif 000010
【図７】
2019207681.tif 000011